【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
無線通信を送受信するように構成されているトランシーバであって、さらに、高電力閾値以上の電力および／または等価等方放射電力（ＥＩＲＰ）で高電力通信を送信するように、かつ低電力閾値以下の電力および／またはＥＩＲＰで低電力通信を送信するように構成されている、トランシーバと、
前記トランシーバに結合された携帯型インタフェースと、
前記トランシーバに結合されたインターロックであって、前記低電力閾値以下の電力および／またはＥＩＲＰで前記トランシーバが低電力通信を送信することが可能となるように、また前記ハンズフリーインタフェースの作動に応答して、前記高電力閾値以上の前記電力および／またはＥＩＲＰで前記トランシーバが高電力通信を送信するのを防ぐように構成されている、インターロックと
を備える、無線端末。
【請求項２】
前記トランシーバが、宇宙ベースの通信に対して前記高電力通信を送信するように、かつ地上通信に対して前記低電力通信を送信するように構成されている請求項１に記載の無線端末。
【請求項３】
前記トランシーバが、前記低電力通信を増幅するように、かつ前記高電力通信を増幅するように構成された少なくとも１つの増幅器を含み、前記インターロックは、前記ハンズフリーインタフェースの作動に応答して、高電力通信を使用不能にするように構成されている請求項１に記載の無線端末。
【請求項４】
前記トランシーバに結合されたハンズフリーインタフェースをさらに備え、前記インターロックはさらに、前記ハンズフリーインタフェースの作動に応答して、前記トランシーバが、高電力通信を送信することを可能にするように構成されている請求項１に記載の無線端末。
【請求項５】
前記ハンズフリーインタフェースが、リモート受話器および／またはスピーカ用のカップリングを備える請求項４に記載の無線端末。
【請求項６】
前記リモート受話器および／またはスピーカ用のカップリングが、連結されたおよび／または連結されていないカップリングを備える請求項５に記載の無線端末。
【請求項７】
前記リモート受話器および／またはスピーカ用のカップリングが、前記無線通信を受信するように、かつ前記無線通信をリモートラウドスピーカに結合するように構成されたクレードル用インタフェースを備える請求項５に記載の無線端末。
【請求項８】
前記ハンズフリーインタフェースがスピーカフォンインタフェースを備える請求項４に記載の無線端末。
【請求項９】
コンパニオンデバイス用インタフェースをさらに備え、前記インタフェースは、前記無線端末から前記コンパニオンデバイスに通信を供給するように、かつ／または前記コンパニオンデバイスから前記無線端末に通信を供給するように構成されている請求項１に記載の無線端末。
【請求項１０】
前記インタフェースが無線インタフェースおよび／または有線インタフェースを備える請求項９に記載の無線端末。
【請求項１１】
前記トランシーバに結合された無線端末アンテナをさらに備え、前記コンパニオンデバイスがコンパニオンアンテナを含み、前記コンパニオンアンテナの利得が前記無線端末アンテナの利得よりも大きい請求項９に記載の無線端末。
【請求項１２】
前記トランシーバが、前記無線端末の内部に増幅器を含み、前記コンパニオンデバイスが、前記コンパニオンデバイスの内部に増幅器を含み、前記コンパニオンデバイス内の前記増幅器の電力出力が前記無線端末内の前記増幅器の電力出力よりも大きい請求項９に記載の無線端末。
【請求項１３】
前記携帯型インタフェースが、前記トランシーバによって、および／または前記無線端末に無線でおよび／または非無線で結合されているデバイスによって受信される無線通信に対応して、音声出力を生成するように構成された内蔵スピーカを備える請求項１に記載の無線端末。
【請求項１４】
前記トランシーバに結合されたハンズフリーインタフェースをさらに備え、前記携帯型インタフェースが作動しているときに高電力通信を送信する要求に応じて、前記ハンズフリーインタフェースを作動させるユーザ通知を前記インターロックが生成するように構成されている請求項１に記載の無線端末。
【請求項１５】
前記インターロックはさらに、前記ハンズフリーインタフェースの作動に応答して、前記トランシーバが、前記高電力通信を送信することを可能にするように構成されている請求項１４に記載の無線端末。
【請求項１６】
前記インターロックはさらに、前記高電力通信を送信する要求の後に、かつ前記ハンズフリーインタフェースの作動の前に、前記トランシーバが前記高電力通信を送信するために前記トランシーバを一定期間、使用可能にするように構成されている請求項１５に記載の無線端末。
【請求項１７】
前記コンパニオンデバイス用インタフェースをさらに備え、前記高電力通信を送信する要求に応じて、前記インターロックは、前記コンパニオンデバイスに対して、前記インタフェースを作動させるユーザ通知を与えるように構成されている請求項１に記載の無線端末。
【請求項１８】
前記インターロックがさらに、前記コンパニオン送信デバイス用インタフェースを作動させることに応じて、前記無線端末から前記インタフェースを介して前記コンパニオンデバイスに送信を供給するように、かつ／または前記コンパニオンデバイスから前記インタフェースを介して前記無線端末に送信を供給するように構成されている請求項１７に記載の無線端末。
【請求項１９】
前記インターロックはさらに、前記高電力通信を送信する前記要求の後に、かつ前記コンパニオンデバイス用インタフェースの作動の前に、前記トランシーバが前記高電力通信を送信するために前記トランシーバを一定期間、使用可能にするように構成されている請求項１７に記載の無線端末。
【請求項２０】
前記インターロックはさらに、前記携帯型インタフェースが作動しているとき、前記トランシーバが、前記低電力通信を送信できるように構成されている請求項１に記載の無線端末。
【請求項２１】
高電力閾値以上の電力および／または等価等方放射電力（ＥＩＲＰ）で高電力通信を送信するように、および低電力閾値以下の電力および／またはＥＩＲＰで低電力通信を送信するように構成されたトランシーバと、携帯型インタフェースとを含む無線端末を作動させる方法であって、
前記携帯型インタフェースの作動に応答して、前記トランシーバが、前記低電力閾値以下の前記電力および／またはＥＩＲＰで、前記低電力通信を送信できるようにするステップと、
前記携帯型インタフェースが作動しているとき、前記トランシーバが、前記高電力閾値以上の前記電力および／またはＥＩＲＰで前記高電力通信を送信することを防ぐステップと
を含む、方法。
【請求項２２】
前記トランシーバが、宇宙ベースの通信および無線地上通信を実行できるように構成されており、前記トランシーバが、宇宙ベースの通信の場合、前記高電力通信を送信するように、かつ地上通信の場合、前記低電力通信を送信するように構成されている請求項２１に記載の方法。
【請求項２３】
前記トランシーバが、前記低電力通信を増幅するように、かつ前記高電力通信を増幅するように構成された少なくとも１つの増幅器を含み、前記携帯型インタフェースの作動に応答して、前記トランシーバが前記高電力通信を送信することを防ぐことが、前記携帯型インタフェースが作動しているとき、少なくとも１つの増幅器を使用不能にするおよび／または制限することを含む請求項２１に記載の方法。
【請求項２４】
前記無線端末がさらに、前記トランシーバに結合されたハンズフリーインタフェースを含み、前記方法がさらに、前記ハンズフリーインタフェースの作動に応答して、前記トランシーバが前記高電力通信を送信できるようにするステップを含む請求項２１に記載の方法。
【請求項２５】
前記ハンズフリーインタフェースが、リモート受話器および／またはスピーカ用カップリングを備える請求項２４に記載の方法。
【請求項２６】
前記ハンズフリーインタフェースがスピーカフォンインタフェースを備える請求項２４に記載の方法。
【請求項２７】
前記無線端末がさらに、コンパニオンデバイス用インタフェースを含み、前記方法がさらに、前記無線端末から前記インタフェースを介して前記コンパニオンデバイスに送信を供給し、かつ／または前記コンパニオンデバイスから前記インタフェースを介して前記無線端末に送信を供給するステップを含む請求項２１に記載の方法。
【請求項２８】
前記携帯型インタフェースが、前記トランシーバによって、および／または前記無線端末に結合されている別のデバイスによって受信される無線通信に対応して、音声出力を生成するように構成された内蔵スピーカを備える請求項２１に記載の方法。
【請求項２９】
前記無線端末が、前記トランシーバに結合されたハンズフリーインタフェースを含み、前記方法がさらに、前記携帯型インタフェースが作動しているとき、前記高電力通信を送信する要求に応じて、前記ハンズフリーインタフェースを作動させるユーザ通知を生成するステップを含む請求項２１に記載の方法。
【請求項３０】
前記ハンズフリーインタフェースの作動に応じて、前記トランシーバが、前記高電力通信を送信できるようにするステップをさらに含む請求項２９に記載の方法。
【請求項３１】
前記高電力通信を送信する要求の後、および前記ハンズフリーインタフェースの作動前に、前記携帯型インタフェースが作動しているとき、前記高電力通信を送信するために、一定期間、前記トランシーバを使用可能にするステップをさらに含む請求項３０に記載の方法。
【請求項３２】
前記無線端末が、コンパニオンデバイス用インタフェースを含み、前記方法がさらに、前記携帯型インタフェースが作動しているとき、前記高電力通信を送信する要求に応じて、前記コンパニオンデバイス用インタフェースを作動させるユーザ通知を生成するステップを含む請求項２１に記載の方法。
【請求項３３】
前記コンパニオンデバイス用インタフェースを作動させることに応じて、前記無線端末から前記インタフェースを介して前記コンパニオンデバイスに送信を供給し、かつ／または前記コンパニオンデバイスから前記インタフェースを介して前記無線端末に送信を供給するステップをさらに含む請求項３２に記載の方法。
【請求項３４】
前記高電力通信を送信する前記要求の後、および前記コンパニオン送信デバイス用インタフェースの作動前に、前記携帯型インタフェースが作動しているとき、前記高電力通信を送信するために前記トランシーバを一定期間、使用可能にするステップとをさらに含む請求項３２に記載の方法。
【請求項３５】
宇宙ベースの通信用に、かつ地上無線通信用に構成されているトランシーバと、
ハンズフリーインタフェースと、
前記ハンズフリーインタフェースが作動している場合を除いて、前記トランシーバが、宇宙ベースの通信を送信するのを防ぐように構成されている衛星／ハンズフリーインタロックと
を備える、無線端末。
【請求項３６】
前記ハンズフリーインタフェースが、リモート受話器および／またはスピーカフォンインタフェース用カップリングを備える請求項３５に記載の無線端末。
【請求項３７】
携帯型インタフェースをさらに備え、前記インターロックがさらに、前記携帯型インタフェースが作動しているとき、前記トランシーバが、宇宙ベースの通信を送信することを防ぐように構成されている請求項３５に記載の無線端末。
【請求項３８】
前記携帯型インタフェースが、前記トランシーバによって、および／または前記無線端末に結合されている別のデバイスによって受信される無線通信に対応して、音声出力を生成するように構成された内蔵スピーカを備える請求項３７に記載の無線端末。
【請求項３９】
前記衛星／ハンズフリーインタロックが、前記携帯型インタフェースが作動しているとき、宇宙ベースの通信を送信する要求に応じて、前記ハンズフリーインタフェースを作動させるユーザ通知を生成するように構成されている請求項３７に記載の無線端末。
【請求項４０】
前記衛星／ハンズフリーインタロックがさらに、前記ハンズフリーインタフェースの作動を要することなく、宇宙ベースの通信を送信する前記要求後、宇宙ベースの電力通信を送信するために前記トランシーバを一定期間、使用可能にするように構成されている請求項３９に記載の無線端末。
【請求項４１】
前記衛星／ハンズフリーインタロックがさらに、前記携帯型インタフェースが作動しているとき、前記トランシーバが地上通信を送信できるように構成されている請求項３７に記載の無線端末。
【請求項４２】
宇宙ベースの通信用に、および地上無線通信用に構成されたトランシーバと、ハンズフリーインタフェースとを含む無線端末を作動させる方法であって、
前記ハンズフリーインタフェースが作動していないときに、前記トランシーバが地上無線通信を送信できるようにするステップと、
前記ハンズフリーインタフェースが作動している場合を除いて、前記トランシーバが宇宙ベースの通信を送信することを防止するステップと
を含む、方法。
【請求項４３】
前記ハンズフリーインタフェースが、リモート受話器および／またはスピーカフォンインタフェース用カップリングを備える請求項４２に記載の方法。
【請求項４４】
携帯型インタフェースが作動しているときに、前記トランシーバが宇宙ベースの通信を送信することを防ぐステップをさらに含む請求項４２に記載の方法。
【請求項４５】
前記携帯型インタフェースが、前記トランシーバによって、および／または前記携帯型インタフェースが作動しているとき、前記無線端末に結合されている別のデバイスによって受信される無線通信に対応して、音声出力を生成するように構成された内蔵スピーカを備える請求項４４に記載の方法。
【請求項４６】
前記携帯型インタフェースが作動しているとき、宇宙ベースの通信を送信する要求に応じて、前記ハンズフリーインタフェースを作動させるユーザ通知を生成するステップをさらに含む請求項４４に記載の方法。
【請求項４７】
前記携帯型インタフェースが作動しているとき、前記ハンズフリーインタフェースの作動を要することなく、宇宙ベースの通信を送信する前記要求後に、前記宇宙ベースの通信を送信するために前記トランシーバを一定期間、使用可能にするステップをさらに含む請求項４６に記載の方法。
【請求項４８】
前記携帯型インタフェースが作動しているとき、前記トランシーバが地上通信を送信できるようにするステップをさらに含む請求項４４に記載の方法。
【請求項４９】
宇宙ベースの通信用におよび地上無線通信用に構成されているトランシーバと、
少なくとも低プロファイルまたは高プロファイルの位置および／または方向で選択的に構成可能であるアンテナと、
前記トランシーバが、前記高プロファイルの位置および／または方向で構成されているアンテナに応答して、閾値以上の高電力および／またはＥＩＲＰで通信を送信することが可能となるように、また前記トランシーバが、前記アンテナの位置および／または方向に関係なく閾値以下の低電力および／またはＥＩＲＰで通信を送信することが可能となるように、前記トランシーバが、前記低プロファイルの位置および／または方向で構成されている前記アンテナに応答して、前記高電力および／またはＥＩＲＰで、通信を送信することを防ぐように構成されている衛星インターロックと
を備える、無線端末。
【請求項５０】
宇宙ベースの通信用におよび地上無線通信用に構成されているトランシーバと、
少なくとも、スピーカフォンモード、プッシュ・トゥ・センドモードおよび／またはプッシュ・トゥ・トークモードまたはユーザの耳に隣接したモードで選択的に構成可能であるユーザインタフェースと、
前記ユーザの耳に隣接したモードで構成されている前記ユーザインタフェースに応答して、前記トランシーバが閾値以上の電力および／またはＥＩＲＰで通信を送信することを防ぐように構成されている衛星インターロックと
を備える、無線端末。
【請求項５１】
前記アンテナの前記高プロファイルの位置および／または方向が、前記無線端末および／またはユーザの頭部からの、前記アンテナの前記低プロファイルの位置および／または方向によって維持される距離よりも大きい、前記無線端末および／または前記ユーザの頭部からの距離を維持する請求項４９に記載の無線端末。
【請求項５２】
無線通信を送受信するように構成されているトランシーバであって、さらに、電力閾値より大きい高電力通信を送信するように、および前記電力閾値より小さい低電力通信を送信するように構成されている、トランシーバと、
前記トランシーバに結合された携帯型インタフェースと、
前記トランシーバに結合されたインターロックであって、前記トランシーバが前記電力閾値より小さい前記低電力通信を送信することが可能となるように、また前記携帯型インタフェースの作動に応答して、前記トランシーバが、前記電力閾値より大きい高電力通信を送信することを防ぐように構成されている、インターロックと
を備える、無線端末。
【請求項５３】
前記トランシーバが、宇宙ベースの通信に対して前記高電力通信を送信するように、および地上通信に対して前記低電力通信を送信するように構成されている請求項５２に記載の無線端末。
【請求項５４】
前記トランシーバに結合されたハンズフリーインタフェースをさらに備え、前記インターロックがさらに、前記ハンズフリーインタフェースの作動に応答して、前記トランシーバが、前記高電力通信を送信できるように構成されている請求項５２に記載の無線端末。
【請求項５５】
コンパニオンデバイス用インタフェースをさらに備え、前記インタフェースが、前記無線端末から前記コンパニオンデバイスに通信を供給するように、かつ／または前記コンパニオンデバイスから前記無線端末に通信を供給するように構成されている請求項５２に記載の無線端末。
【請求項５６】
前記携帯型インタフェースが、前記トランシーバによって、ならびに／あるいはは前記無線端末に無線でおよび／または非無線で結合されているデバイスによって受信される無線通信に対応して、音声出力を供給するように構成された内蔵スピーカを備える請求項５２に記載の無線端末。
【請求項５７】
前記トランシーバに結合されたハンズフリーインタフェースをさらに備え、前記携帯型インタフェースが作動しているとき、高電力通信を送信する要求に応じて、前記インターロックが前記ハンズフリーインタフェースを作動させるユーザ通知を生成するように構成されている請求項５２に記載の無線端末。
【請求項５８】
前記インターロックがさらに、前記ハンズフリーインタフェースの作動に応じて前記トランシーバが前記高電力通信を送信できるように構成されている請求項５７に記載の無線端末。
【請求項５９】
前記インターロックがさらに、高電力通信を送信する前記要求の後、および前記ハンズフリーインタフェースの作動の前に、前記高電力通信を送信するために前記トランシーバを一定期間、使用可能にするように構成されている請求項５８に記載の無線端末。
【請求項６０】
前記インターロックがさらに、前記携帯型インタフェースが作動しているときに、前記トランシーバが、前記低電力通信を送信できるように構成されている請求項５２に記載の無線端末。
【請求項６１】
前記トランシーバが、前記電力閾値より大きい等価等方放射電力（ＥＩＲＰ）で前記高電力通信を送信するように、および前記電力閾値より小さい等価放射電力（ＥＩＲＰ）で低電力通信を送信するように構成されている請求項５２に記載の無線端末。
【請求項６２】
前記電力閾値が、低電力閾値および高電力閾値を含み、前記トランシーバが、前記高電力閾値より大きい高電力通信を送信するように、および前記低電力閾値より小さい前記低電力通信を送信するように構成されており、前記インターロックは、前記携帯型インタフェースが作動しているとき、前記トランシーバが、前記高電力閾値より大きい前記高電力通信を送信することを防ぐように構成されている請求項５２に記載の無線端末。
【請求項６３】
電力閾値より大きい高電力通信を送信するように、かつ前記電力閾値より小さい低電力通信を送信するように構成されたトランシーバと、携帯型インタフェースとを含む無線端末を作動させる方法であって、
前記携帯型インタフェースが作動しているとき、前記トランシーバが、前記電力閾値より小さい前記低電力通信を送信できるようにするステップと、
前記携帯型インタフェースの作動に応答して、前記トランシーバが、前記電力閾値より大きい前記高電力通信を送信することを防ぐステップと
を含む、方法。
【請求項６４】
前記トランシーバが、宇宙ベースの通信および無線地上通信を実行できるように構成されており、前記トランシーバが、宇宙ベースの通信に対して、前記高電力通信を送信するように、および地上通信に対して、低電力通信を送信するように構成されている請求項６３に記載の方法。
【請求項６５】
前記無線端末がさらに、前記トランシーバに結合されたハンズフリーインタフェースを含み、前記方法がさらに、前記ハンズフリーインタフェースの作動に応答して、前記トランシーバが、前記高電力通信を送信できるようにするステップを含む、請求項６３に記載の方法。
【請求項６６】
前記無線端末がさらに、コンパニオンデバイス用インタフェースを含み、前記方法がさらに、前記無線端末から前記インタフェースを介して前記コンパニオンデバイスに通信を供給し、かつ／または前記コンパニオンデバイスから前記インタフェースを介して前記無線端末に通信を供給するステップを含む請求項６３に記載の方法。
【請求項６７】
前記携帯型インタフェースが、前記トランシーバによって、および／または前記無線端末に結合されている別のデバイスによって受信される無線通信に対応して、音声出力を供給するように構成された内蔵スピーカを備える請求項６３に記載の方法。
【請求項６８】
前記無線端末が、前記トランシーバに結合されたハンズフリーインタフェースを含み、前記方法がさらに、
前記ハンズフリーインタフェースが作動しているとき、高電力通信を送信する要求に応じて、前記ハンズフリーインタフェースを作動させるユーザ通知を生成するステップを含む請求項６３に記載の方法。
【請求項６９】
前記ハンズフリーインタフェースの作動に応じて、前記トランシーバが、前記高電力通信を送ることを可能にするステップをさらに含む請求項６８に記載の方法。
【請求項７０】
前記高電力通信を送信する前記要求の後、および前記ハンズフリーインタフェースの作動の前に、前記携帯型インタフェースが作動しているとき、前記高電力通信を送信するために、前記トランシーバを一定期間、使用可能にするステップをさらに含む請求項６９に記載の方法。
【請求項７１】
前記無線端末が、コンパニオンデバイス用インタフェースを含み、前記方法がさらに、前記携帯型インタフェースが作動しているとき、高電力通信を送信する要求に応じて、前記コンパニオンデバイス用インタフェースを作動させるユーザ通知を生成するステップを含む請求項６３に記載の方法。
【請求項７２】
前記コンパニオンデバイス用インタフェースを作動させることに応じて、前記無線端末から前記インタフェースを介して前記コンパニオンデバイスに前記高電力通信を供給し、かつ／または前記コンパニオンデバイスから前記インタフェースを介して前記無線端末に通信を供給するステップをさらに含む請求項７１に記載の方法。
【請求項７３】
前記高電力通信を送信する前記要求の後、および前記コンパニオンデバイス用インタフェースの作動の前に、前記携帯型インタフェースが作動しているとき、前記高電力通信を送信するために前記トランシーバを一定期間、使用可能にするステップをさらに含む請求項７１に記載の方法。
【請求項７４】
前記トランシーバが、前記電力閾値より大きい等価等方放射電力（ＥＩＲＰ）で前記高電力通信を送信するように、かつ前記電力閾値より小さい等価放射電力（ＥＩＲＰ）で前記低電力通信を送信するように構成されている請求項６３に記載の方法。
【請求項７５】
前記電力閾値が、低電力閾値および高電力閾値を含み、前記トランシーバが前記高電力閾値より大きい前記高電力通信を送信するように、および前記低電力閾値より小さい前記低電力通信を送信するように構成されており、ここで、前記トランシーバが前記高電力通信を送信することを防ぐステップが、前記携帯型インタフェースが作動しているとき、前記トランシーバが前記高電力閾値より大きい前記高電力通信を送信することを防ぐステップを含む請求項６３に記載の方法。
【請求項７６】
前記トランシーバが、高電力閾値以上の電力および／またはＥＩＲＰで高電力通信を送信するように、かつ低電力閾値以下の電力および／またはＥＩＲＰで低電力通信を送信するように構成されている請求項３５に記載の無線端末。
【請求項７７】
前記トランシーバが、低電力閾値以下の電力および／またはＥＩＲＰでの送信の場合に、低電力通信を増幅するように、かつ前記高電力閾値以上の電力および／またはＥＩＲＰでの送信の場合に、前記高電力通信を増幅するように構成された少なくとも１つの増幅器を含む請求項３５に記載の無線端末。
【請求項７８】
前記インターロックはさらに、前記ハンズフリーインタフェースが作動しているときに、前記トランシーバが、高電力閾値以上の電力および／またはＥＩＲＰで高電力通信を送信することを可能にするように構成されている請求項３５に記載の無線端末。
【請求項７９】
前記ハンズフリーインタフェースが、リモート受話器および／またはスピーカ用のカップリングを備える請求項３５に記載の無線端末。
【請求項８０】
前記リモート受話器および／またはスピーカ用のカップリングが、連結されたおよび／または連結されていないカップリングを備える請求項７９に記載の無線端末。
【請求項８１】
前記リモート受話器および／またはスピーカ用のカップリングが、前記無線通信を受信するように、かつ／あるいは前記無線通信をリモートラウドスピーカに結合するように構成されたクレードル用インタフェースを備える請求項７９に記載の無線端末。
【請求項８２】
前記ハンズフリーインタフェースがスピーカフォンインタフェースを備える請求項３５に記載の無線端末。
【請求項８３】
コンパニオンデバイス用インタフェースをさらに備え、前記インタフェースは、前記無線端末から前記コンパニオンデバイスに通信を供給するように、かつ／または前記コンパニオンデバイスから前記無線端末に通信を供給するように構成されている請求項３５に記載の無線端末。
【請求項８４】
前記インタフェースが無線インタフェースおよび／または有線インタフェースを備える請求項８３に記載の無線端末。
【請求項８５】
前記トランシーバに結合された無線端末アンテナをさらに備え、前記コンパニオンデバイスがコンパニオンアンテナを含み、前記コンパニオンアンテナの利得が前記無線端末アンテナの利得よりも大きい請求項８３に記載の無線端末。
【請求項８６】
前記トランシーバが、前記無線端末の内部に送信増幅器および低雑音増幅器を含み、前記コンパニオンデバイスが、前記コンパニオンデバイスの内部に送信増幅器および低雑音増幅器を含み、前記コンパニオンデバイス内の前記送信増幅器の電力出力が前記無線端末内の前記送信増幅器の電力出力よりも大きく、かつ／または前記コンパニオンデバイス内の前記低雑音増幅器の雑音指数が前記無線端末内の前記低雑音増幅器の雑音指数よりも小さい請求項８３に記載の無線端末。
【請求項８７】
前記携帯型インタフェースが、前記トランシーバによって、および／または前記無線端末に無線でおよび／または非無線で結合されているデバイスによって受信される通信を供給するように構成された内蔵スピーカを備える請求項３５に記載の無線端末。
【請求項８８】
前記携帯型インタフェースが作動しているときに、高電力閾値以上の電力および／またはＥＩＲＰで高電力通信を送信する要求に応じて、前記ハンズフリーインタフェースを作動させるユーザ通知を前記インターロックが生成するように構成されている請求項８７に記載の無線端末。
【請求項８９】
前記インターロックはさらに、前記ハンズフリーインタフェースの作動に応答して、前記トランシーバが、前記高電力通信を送信することを可能にするように構成されている請求項８８に記載の無線端末。
【請求項９０】
前記インターロックはさらに、前記高電力通信を送信する要求の後に、かつ前記ハンズフリーインタフェースの作動の前に、前記トランシーバが前記高電力通信を送信するために前記トランシーバを一定期間、使用可能にするように構成されている請求項８８に記載の無線端末。
【請求項９１】
高電力閾値以上の電力および／またはＥＩＲＰで高電力通信を送信し、かつ／または宇宙ベースの通信を受信する要求に応じて、前記コンパニオンデバイス用インタフェースを作動させるユーザ通知を前記インターロックが生成するように構成されている請求項８３に記載の無線端末。
【請求項９２】
前記インターロックがさらに、前記コンパニオン送信デバイス用インタフェースを作動させることに応じて、前記インタフェースを介して前記コンパニオンデバイスに送信を供給するように、かつ／または前記コンパニオンデバイスから前記インタフェースを介して前記無線端末に送信を供給するように構成されている請求項９１に記載の無線端末。
【請求項９３】
前記インターロックはさらに、前記コンパニオンデバイス用インタフェースを作動させる前記ユーザ通知の後に、かつ前記コンパニオンデバイス用インタフェースの作動の前に、前記トランシーバが前記高電力通信を送信するために前記トランシーバを一定期間、使用可能にするように構成されている請求項９１に記載の無線端末。
【請求項９４】
前記インターロックはさらに、前記ハンズフリーインタフェースが作動しているとき、前記トランシーバが、前記低電力閾値以下の電力および／またはＥＩＲＰで、前記低電力通信を送信できるように構成されている請求項３５に記載の無線端末。
【請求項９５】
前記無線端末が、高電力閾値以上の電力および／またはＥＩＲＰで前記宇宙ベースの通信を送信するように、および低電力閾値以下の電力および／またはＥＩＲＰで地上無線通信を送信するように構成されている請求項４２に記載の方法。
【請求項９６】
前記トランシーバが、前記地上無線通信を増幅するように、かつ前記宇宙ベースの通信を増幅するように構成された少なくとも１つの増幅器を含み、前記ハンズフリーインタフェースが作動しない限り、前記トランシーバが前宇宙ベースの通信を送信することを防ぐことが、前記ハンズフリーインタフェースが作動しない限り、少なくとも１つの増幅器を使用不能にするおよび／または制限することを含む請求項４２に記載の方法。
【請求項９７】
前記ハンズフリーインタフェースが前記トランシーバに結合されており、前記方法がさらに、前記ハンズフリーインタフェースが作動しているとき、前記トランシーバが高電力閾値以上の電力および／またはＥＩＲＰで高電力通信を送信できるようにするステップを含む請求項４２に記載の方法。
【請求項９８】
前記ハンズフリーインタフェースが、リモート受話器および／またはスピーカ用カップリングを備える請求項４２に記載の方法。
【請求項９９】
前記ハンズフリーインタフェースがスピーカフォンインタフェースを備える請求項４２に記載の方法。
【請求項１００】
前記無線端末がさらに、コンパニオンデバイス用インタフェースを含み、前記方法がさらに、前記無線端末から前記インタフェースを介して前記コンパニオンデバイスに送信を供給し、かつ／または前記コンパニオンデバイスから前記インタフェースを介して前記無線端末に送信を供給するステップを含む請求項４２に記載の方法。
【請求項１０１】
前記無線端末がさらに、前記トランシーバによって、および／または前記無線端末に結合されている別のデバイスによって受信される無線通信に対応して、音声出力を生成するように構成された内蔵スピーカを備える携帯型インタフェース請求項４２を含むに記載の方法。
【請求項１０２】
前記ハンズフリーインタフェースが前記トランシーバに結合されており、前記方法がさらに、高電力通信を送信する要求に応じて、前記ハンズフリーインタフェースを作動させるユーザ通知を生成するステップを含む請求項４２に記載の方法。
【請求項１０３】
前記ハンズフリーインタフェースの作動に応じて、前記トランシーバが、前記高電力通信を送信できるようにするステップをさらに含む請求項１０２に記載の方法。
【請求項１０４】
前記高電力通信を送信する要求の後、および前記ハンズフリーインタフェースの作動前に、前記高電力通信を送信するために、一定期間、前記トランシーバを使用可能にするステップをさらに含む請求項１０２に記載の方法。
【請求項１０５】
前記無線端末が、コンパニオンデバイス用インタフェースを含み、前記方法がさらに、高電力通信を送信する要求に応じて、前記コンパニオンデバイス用インタフェースを作動させるユーザ通知を生成するステップを含む請求項４２に記載の方法。
【請求項１０６】
前記コンパニオンデバイス用インタフェースを作動させることに応じて、前記無線端末から前記インタフェースを介して前記コンパニオンデバイスに送信を供給し、かつ／または前記コンパニオンデバイスから前記インタフェースを介して前記無線端末に送信を供給するステップをさらに含む請求項１０５に記載の方法。
【請求項１０７】
前記高電力通信を送信する前記要求の後、および前記コンパニオン送信デバイス用インタフェースの作動前に、前記高電力通信を送信するために前記トランシーバを一定期間、使用可能にするステップをさらに含む請求項１０５に記載の方法。
【請求項１０８】
前記無線端末アンテナが、実質的に直線偏光されたおよび／または円偏光された要素を備え、前記コンパニオンアンテナが実施ｓつて器に円偏光された要素を備える請求項８５に記載の無線端末。